(57)【特許請求の範囲】
【請求項１】
開閉自在の浴室ドアに設けられてガラリ開状態とガラリ閉状態とを選択自在に形成されたガラリと、
このガラリをガラリ閉状態からガラリ開状態に駆動させる駆動手段と、
前記浴室ドアが閉じているときにガラリ閉状態が選択されるとガラリ閉状態に前記ガラリを保持するガラリ閉保持手段と
を備え、
前記ガラリは、ガラリ閉状態に保持された状態で前記浴室ドアが開くと、前記ガラリ閉保持手段による保持状態が解除され、前記駆動手段により、ガラリ開状態に駆動してガラリ開状態に保持されるものである
ことを特徴とする浴室ドアの開閉ガラリ構造。
【発明の詳細な説明】
【技術分野】
【０００１】
本発明は、浴室に設置された浴室ドアのガラリ構造に関するものである。
【背景技術】
【０００２】
従来から、浴室のドアに設置されたガラリについて、浴室内への冷気の侵入を防いだり、浴室内の水蒸気が浴室に隣接する脱衣室等へ侵入するのを防いだりするために、ガラリを開閉自在に構成したものが知られている（例えば、特許文献１参照）。
【特許文献１】特開２００８−３１７３０号公報
【発明の開示】
【発明が解決しようとする課題】
【０００３】
ところで、このような開閉自在に設置されたガラリを使用するにあたっては、浴室内に冷気が侵入してきて寒い場合や浴室内の蒸気が多い場合等といった浴室内の状況に応じて、入浴者が開閉自在に設けられたガラリを閉じていたが、通常、このようなガラリの開閉のための操作部は浴室ドアの下方に設置してあるため目立たないことが多い。故に、ガラリを開放するのを忘れた入浴者が、ガラリを閉じたままの状態でそのまま浴室から退出してしまうことが頻繁に起こっている。
【０００４】
このようなガラリを閉じたままの状態にあっては、浴室内は略密閉状態となっており、入浴者が入浴後の多湿となった浴室内を換気するために換気扇を回したとしても、浴室外部の空気が浴室内に流入できないため浴室内の換気が有効にできないという問題が生じていた。
【０００５】
本発明は、上記従来の問題に鑑みてなされたものであり、その目的とするところは、入浴者が閉じられたガラリを開放するのを忘れて浴室内から退出したとしても、浴室ドアの開放に伴ってガラリを開放することができて、換気扇の浴室内の換気を有効に行なうことができる浴室ドアの開閉ガラリ構造を提供することにある。
【課題を解決するための手段】
【０００６】
上記課題を解決するために請求項１に係る発明にあっては、開閉自在の浴室ドア１に設けられてガラリ開状態とガラリ閉状態とを選択自在に形成されたガラリ２と、このガラリ２をガラリ閉状態からガラリ開状態に駆動させる駆動手段と、前記浴室ドア１が閉じているときにガラリ閉状態が選択されるとガラリ閉状態に前記ガラリ２を保持するガラリ閉保持手段３とを備え、前記ガラリ２は、ガラリ閉状態に保持された状態で前記浴室ドア１が開くと、前記ガラリ閉保持手段３による保持状態が解除され、前記駆動手段により、ガラリ開状態に駆動してガラリ開状態に保持されるものである
ことを特徴とするものである。
【０００７】
このように構成したことで、浴室内において入浴者がガラリの開閉を選択できると共に、入浴者がガラリを閉じた場合であっても、浴室ドアの開放に伴ってガラリを開放することができる。
【発明の効果】
【０００８】
本発明によれば、入浴者がガラリを閉じた状態のまま浴室から退出しようとした場合であっても、浴室ドアの開放と共にガラリの開放をすることができるので、このガラリ開放に伴って外気を取り込み自在となり、入浴後の湿気の多い浴室内を換気扇によって換気する際に効率的に換気することが可能となる。
【発明を実施するための最良の形態】
【０００９】
以下、本発明について添付図面に基づいて説明する。
【００１０】
本発明の一実施形態に係る浴室は、換気扇が天井に設置された浴室と、浴槽及び洗い場と、浴室に固定され開口部を形成する枠体５と、枠体５に設けられ浴室を閉塞可能な浴室ドア１とで構成されており、入浴者が脱衣する脱衣室が隣接して設置され且つ浴室に設けられた枠体５が、脱衣室と浴室との間に位置するように設置されている。
【００１１】
浴室ドア１は、図４に示すように、浴室開口部を形成する枠体５の一方の縦枠５ａに設けた枢支部により回動自在に連結されており、該枢支部の反対側の端部が浴室内に引き込まれるようになっている。また、該枢支部とは反対側の縁辺の前後面には、浴室ドアを開閉するための把持部１１が配設されている。更に、この浴室ドアの下部には矩形状の通気開口６が浴室と脱衣室とを連通するように設置されており、その通気開口６の内部には回動自在に軸支されたガラリ２が該通気開口６を閉塞可能に設置されている。
【００１２】
浴室と脱衣室とを連通する通気開口６は、浴室側程下方に位置するような傾斜を有する上縁６１と下縁６２とを備えており、更に、上縁６１の浴室側の縁辺（即ち、上縁６１の最も下方の部位）から下方に向かって上突片６３が連出されると共に、下縁６２の脱衣室側の縁辺（即ち、下縁の最も上方の部位）から上方に向かって下突片６４が連出して設置されている。
【００１３】
通気開口６の内部に収容されるガラリ２は、中間に回動軸２４を備えると共に浴室側程下方になるように傾斜を有した斜片２１と、該斜片２１の浴室側及び脱衣室側の縁辺からそれぞれ上下方向に連出した上垂片２２と下垂片２３とから成っており、それらが一体となって断面略クランク状を成して形成されている。ガラリ２に設けられた上垂片２２と通気開口６に設けられた上突片６３とは、正面から見て（浴室側及び脱衣室側のいずれから見た場合であっても）重なるようになっており、上垂片２２の上端と脱衣室側の通気開口６の上縁６１とは当接せず隙間を有する長さで形成されている。同様に、ガラリ２に設けられた下垂片２３と通気開口６に設けられた下突片６４とは、正面から見て重なるようになっており、下垂片２３の下端と浴室側の通気開口６の下縁６２とは当接せず隙間を有する長さで形成されている。このようなガラリ２は、通気開口６の上縁６１とで上通気口６ａを形成すると共に、通気開口６の下縁６２とで下通気口６ｂを形成している。
【００１４】
ガラリ２の斜片２１の断面における略中間に設けられた回動軸２４は、通気開口６の上下方向の略中間部位で且つ前後方向（即ち浴室−脱衣室方向）の略中間部位において、通気開口６の上縁６１及び下縁６２と平行になるように設置されている。ガラリ２は該回動軸２４によって軸支され、下垂片２３及び上垂片２２が鉛直上下方向に向く姿勢のガラリ開状態から、上垂片２２が通気開口６の上縁６１に設けられた上突片６３と当接し且つ下垂片２３が通気開口６の下縁６２に設けられた下突片６４と当接することで上通気口６ａ及び下通気口６ｂを閉塞した姿勢のガラリ閉状態まで、該ガラリ２は回動するようになっている。更に、ガラリ２には、ガラリ閉状態からガラリ開状態にする駆動手段としてのばね力が付与されており、通常、ガラリ２はガラリ開状態の姿勢が保持されるようになっている。
【００１５】
浴室ドア１には、ガラリ２のガラリ閉状態の姿勢を保持するガラリ閉保持手段３を備えている。このガラリ閉保持手段３は、浴室ドア１が閉じている状態においてのみ作用するようになっており、詳細は以下に説明する。
【００１６】
このガラリ閉保持手段３は、図２に示すように、浴室ドア１の枢支部が配設されていない側の端面に設けられており、該端面から進退自在に設けられて浴室ドア１の閉塞に伴って後退する軸部３１と、該軸部３１を外方に向けて付勢するばねから成る付勢手段３２と、軸部３１に設けられて該軸部３１の浴室ドア１端部からの突出長さを所定の長さに保持する係止部３３と、軸部３１が後退した時にガラリ２のガラリ閉状態を保持可能な保持部３４と、で構成されている。
【００１７】
保持部３４は腕部３４ａと爪部３４ｂとから形成されており、前記軸部３１の軸芯に対して直角方向に軸部３１の非突出側の端部から腕部３４ａが連出して、その先端に爪部３４ｂが形成されている。
【００１８】
軸部３１の突出側の先端には面取り部３１ａが形成されており、これにより、浴室ドア１が閉塞するのに伴って枠体５の縦枠５ａが該軸部３１の面取り部３１ａに向かって横方向から押し当てられることにより、該面取り部３１ａによって軸部３１を浴室ドア１内部に向けて移動させることができ、軸部３１に付与された付勢手段３２による付勢力に抗するようにして押し込ませるようになっている。
【００１９】
このようにして押し込まれた軸部３１は、該軸部３１と一体になって形成された保持部３４と共に浴室ドア１内部側に向けて移動し、保持部３４の爪部３４ｂがガラリ２の一端の縁辺を係止可能な位置にまで移動するようになっている。この軸部３１が押し込まれた状態において、前記ガラリ２をガラリ閉状態の姿勢となるように回動させると、ガラリ２の該縁辺が爪部３４ｂに当接することで腕部３４ａを撓ませ、更にガラリ閉状態に向けて回動を続けることでガラリ２の縁辺が爪部３４ｂを越えて、その後ガラリ２が該爪部３４ｂ（保持部３４の先端部）に係止される。
【００２０】
一方、浴室ドア１を開放した場合、軸部３１が付勢手段３２による付勢力に従って外方に向けて突出する。このとき、軸部３１に設けられた係止部３３によって軸部３１が所定の長さだけ突出して係止されるのと同時にガラリ２と保持部３４との係止状態が解除されて、駆動手段としてのばね力によってガラリ２がガラリ閉状態からガラリ開状態となるように回動し、上通気口６ａ及び下通気口６ｂを開放させる。
【００２１】
なお本実施形態において、ガラリ２に付着した水滴は、ガラリ２の斜片２１が浴室側に向けて傾斜を有していることで、浴室側に該水滴を流すことができ、脱衣室側に漏水することがない。しかも、通気開口６の上縁６１及び下縁６２も浴室側に向けて傾斜を有するように形成されているから、更に脱衣室側への漏水が発生し難いようになっている。また、このように傾斜を備えることで、水滴が滞留することもなく、水垢やヌメリの原因も排除することができる。
【００２２】
以上のように構成された浴室は、入浴者が浴室を退出するにあたって、ガラリ２が閉じたままの状態となることがないので、入浴者が浴室退出後に換気扇を回したとしても存分に換気能力を発揮することができる。なお、入浴時において（浴室ドア１閉塞時において）入浴者が意図的にガラリ２をガラリ閉状態にしない限り、ガラリ２がガラリ閉状態となることはなくガラリ開状態のまま保持されることとなり、要するに、入浴者は入浴時においては、ガラリ開状態とガラリ閉状態とを任意に選択することができる。
【００２３】
次に、他の実施形態について図３に基づいて説明する。なお、本実施形態は図２に示す実施形態と大部分において同じであるため、同じ部分においては同符号を付して説明を省略し、主に異なる部分について説明する。
【００２４】
本実施形態のガラリ閉保持手段は、平歯状のラック部３１ｂを有する軸部３１と、回転軸に前記ラック部３１ｂと噛み合うピニオン部３５ａを有するモーター３５と、浴室ドア１に設けられて浴室の枠体５に配設された磁気部３６と近接することでモーター３５を駆動させる磁気近接スイッチ３７と、軸部３１が後退した時にガラリ２のガラリ閉状態を保持可能な保持部３４と、モーター３５の回転を制御しマイクロコンピュータから成る制御部３８と、で構成されている。
【００２５】
本実施形態の軸部３１には平歯状のラック部３１ｂが刻設されており、モーター３５の回転軸にはこのラック部３１ｂが噛み合うピニオン部３５ａが嵌着されている。また、浴室ドア１の端部には浴室ドア１が閉じた状態で枠体５に臨んで磁気近接スイッチ３７が配設されており、その磁気近接スイッチ３７が感応できる枠体５内部の部位に磁石から成る磁気部３６が配設されている。該磁気近接スイッチ３７はモーター３５と制御部３８を介して電気的に結合されており、磁気近接スイッチ３７が磁気部３６を感応した時にモーター３５を正回転駆動させるようになっており、モーター３５の正回転駆動によってラック部３１ｂが浴室ドア１の内部側に直線移動して、ラック部３１ｂを備える軸部３１に設けられた保持部３４が浴室ドア１内部に向けて移動し、保持部３４の爪部３４ｂがガラリ２の一端の縁辺を係止可能な位置にまで移動するようになっている。なお、モーター３５は所定の回転数にて回転した後に該回転を停止するように制御部３８にて制御されている。
【００２６】
一方、入浴者がガラリ２をガラリ閉状態とした場合において浴室ドア１を開放したときは、浴室ドア１の開放に伴って磁気近接スイッチ３７が磁気部３６と離間するので、磁気近接スイッチ３７は磁気部３６と離れたことを検知し、制御部３８を介してモーター３５を所定の回転数だけ逆回転駆動させるようになっている。モーター３５が逆回転駆動すると、該軸部３１は浴室ドア１内方側から外方側に向かって直線移動することになり、ガラリ２と保持部３４との係止状態を解除するので、駆動手段としてのばね力によってガラリ２がガラリ閉状態からガラリ開状態となるように回動し、上通気口６ａ及び下通気口６ｂを開放させる。
【００２７】
このような構成によれば、入浴者が浴室内からガラリ閉状態とした場合であっても、浴室退出時にモーター駆動によってガラリ２をガラリ開状態とするので、その後に換気扇を作動したとしても通気口６ａ，６ｂから外部の空気を取り込むことができ、効率の良い換気を実現することができる。
【００２８】
なお、浴室ドア１の開閉に応じてモーター３５の回転駆動をさせるのではなく、換気扇のスイッチをＯＮとした時にガラリ２をガラリ開状態と成るようにモーター３５の回転駆動をするように構成した場合であっても、換気の効率を向上することができる。
【図面の簡単な説明】
【００２９】
【図１】本発明の一実施形態の要部の側面から見た概略図であり、（ａ）はガラリ開状態を示し、（ｂ）はガラリ閉状態を示す。
【図２】同上の要部の概略図であり、（ａ）は浴室ドアの開放時を示し、（ｂ）は浴室ドア閉塞時のガラリ閉状態を示す。
【図３】他の実施形態の要部の概略図を示し、浴室ドアの閉塞時のガラリ閉状態を示す。
【図４】本発明の一例の浴室ドアの脱衣室側から見た正面図を示す。
【符号の説明】
【００３０】
１      浴室ドア
２      ガラリ
２１    斜片
２２    上垂片
２３    下垂片
２４    回動軸
３      ガラリ閉保持手段
３４    保持部
３４ａ  腕部
３４ｂ  爪部
６      通気開口
６ａ    上通気口
６ｂ    下通気口
６１    上縁
６２    下縁
６３    上突片
６４    下突片
【図１】
0005308071.tif 000002
【図２】
0005308071.tif 000003
【図３】
0005308071.tif 000004
【図４】
0005308071.tif 000005